(57)【要約】【課題】利便性に富んだ非接触認証による印刷データ処理方法を提供する。【解決手段】コンピュータ１０（３、６、８）及びプリンタ３０（４、７）はそれぞれ非接触認証コードを読み取る非接触認証デバイスを備えている。移動体通信機器５０は非接触認証コードを送信する非接触通信デバイスを備えている。コンピュータ１０で作成した印刷データに印刷データ情報（ファイル名等）とコンピュータ１０の使用者が所有する移動体通信機器５０から非接触で読み取られた認証データが付加され、所望のプリンタ３０（複数でも可）に送信される。移動体通信機器５０が接近したプリンタ３０は非接触認証コードを読み出し、一致した認証データが付加されている印刷データの印刷データ情報を移動体通信機器５０に送信する。移動体通信機器５０の使用者は表示装置で所望の印刷データ情報を選択して印刷指示を送信する。【選択図】      図１
2008287420.tif 000002
【特許請求の範囲】
【請求項１】
コンピュータにおいて、
認証を行う認証コードを移動体通信機器から非接触にて取得する工程と、
印刷データを取得する工程と、
該取得した印刷データに前記認証コードを付加し該認証コードの付加された前記印刷データを印刷装置に送信する工程と、を含み、
前記印刷装置において、
前記コンピュータ側から送信された認証コード付き印刷データを受信する工程と、
該受信した前記認証コード付き印刷データを記憶装置に記憶する工程と、
所定の領域内に前記認証コードを保持した前記移動体通信機器が存在することを検知する工程と、
検知された前記移動体通信機器から前記認証コードを非接触にて読み出す工程と、
該読み出した認証コードが前記記憶装置に記憶されている前記認証コード付き印刷データの認証コードと合致する否か比較する工程と、
両前記認証コードが一致したとき前記認証コード付き印刷データの識別データを前記移動体通信機器に送信する工程と、
前記移動体通信機器から前記識別データで識別される前記認証コード付き印刷データの印刷を指示する指示信号を受信したとき該認証コード付き印刷データを前記記憶装置から読み出して印刷出力する工程と、
を含むことを特徴とする非接触認証による印刷データ処理方法。
【請求項２】
前記移動体通信機器は、自機の表示装置に、前記印刷装置から送信された前記認証コード付き印刷データの前記識別データを表示し、該識別データを選択指定し、該識別データに対応する前記認証コード付き印刷データの印刷を指示する指示信号を前記印刷装置に送信する、ことを特徴とする請求項１記載の非接触認証による印刷データ処理方法。
【請求項３】
前記移動体通信機器は、前記認証コード付き印刷データの印刷を指示するに際し、前記認証コード付き印刷データの印刷枚数、印刷部数、片面印刷、両面印刷、余白代、拡大印刷、縮尺印刷等の印刷方法も合わせて指示する、ことを特徴とする請求項２記載の非接触認証による印刷データ処理方法。
【請求項４】
前記印刷装置は、無線又は有線にて接続されている他の印刷装置に前記認証コードと一致する前記認証コード付き印刷データが保持されているか否かを検索する工程と、
前記認証コードと一致する前記認証コード付き印刷データが保持されているときは該認証コード付き印刷データの識別コードを収集する工程と、
該収集した前記識別コードを前記移動体通信機器に送信する工程と、
該移動体通信機器により選択された前記識別データで識別される前記認証コード付き印刷データの印刷を指示する指示信号を受信したとき該認証コード付き印刷データを前記他の印刷装置から読み出して印刷出力する工程と、
を更に備えることを特徴とする請求項１記載の非接触認証による印刷データ処理方法。
【請求項５】
前記移動体通信機器は、自機の表示装置に、前記印刷装置から送信された前記認証コード付き印刷データの前記識別データを表示し、該識別データを選択指定し、該識別データに対応する前記認証コード付き印刷データの送信を指示する工程を更に有し、
前記印刷装置は、前記移動体通信機器から前記識別データで識別される前記認証コード付き印刷データの送信を指示する指示信号を受信したとき該認証コード付き印刷データを前記記憶装置から読み出して送信する工程を更に有し、
前記移動体通信機器は、前記印刷装置から受信した前記認証コード付き印刷データを自機内蔵の記憶装置に格納する工程を更に有する、
ことを特徴とする請求項１記載の非接触認証による印刷データ処理方法。
【請求項６】
前記コンピュータは、
前記取得した印刷データに前記認証コードを付加して前記印刷装置に送信するに際し、前記印刷データに転送先データを付加する工程を更に有し、
前記印刷装置は、
前記移動体通信機器から前記識別データで識別される前記認証コード付き印刷データの印刷を指示する指示信号を受信して該認証コード付き印刷データを前記記憶装置から読み出したとき該印刷データに前記転送先データが付加されている場合は、前記印刷データを前記転送先に転送すると共に前記印刷データを印刷出力する工程を更に有する、
ことを特徴とする請求項１記載の非接触認証による印刷データ処理方法。
【請求項７】
前記転送先は、コンピュータ、インフォメイション・プロバイダ、保存用フォルダ、アップロード先、他の印刷装置、ファクシミリ装置、又はファイル内容加工用ワークフォルダである、ことを特徴とする請求項６記載の非接触認証による印刷データ処理方法。
【請求項８】
前記移動体通信機器は、非接触通信で印刷データを前記印刷装置に直接送信する工程を更に有し、
前記印刷装置は、前記移動体通信機器から直接送信された印刷データを印刷する印刷工程を更に有することを特徴とする請求項１記載の非接触認証による印刷データ処理方法。
【請求項９】
前記印刷装置は、前記移動体通信機器から非接触にて読み出した前記認証コードが前記記憶装置に記憶されている前記認証コード付き印刷データの認証コードと一致したとき前記認証コード付き印刷データの識別データを自機の表示操作装置に表示報知する工程と、
前記表示操作装置から前記識別データで識別される前記認証コード付き印刷データの印刷を指示する指示入力がなされたとき、該認証コード付き印刷データを前記記憶装置から読み出して印刷出力する工程と、を更に有する、
ことを特徴とする請求項１記載の非接触認証による印刷データ処理方法。
【発明の詳細な説明】
【技術分野】
【０００１】
本発明は、非接触認証による印刷データ処理方法に関する。
【背景技術】
【０００２】
従来、印刷データの印刷処理方法として、印刷データの安全性の確保を考慮した印刷出力管理を行う方法が知られている。
【０００３】
例えば、暗号鍵と共に指紋データをＲＦＩＤ（radio frequency identification）カードに記録し、パーソナルコンピュータで作成した印刷データを暗号鍵と指紋データと共にＭＦＰ（Multi Function Printer：多機能印刷機）に送信し、そのＲＦＩＤカードの所持者がＭＦＰに近づくと非接触認証が行われ、上記の印刷データが印刷出力されるものが提案されている。（例えば、特許文献１参照。）
また、例えば、無線通信を行う対象として指定された複数の機器にそれぞれ非接触ＩＣチップを設け、非接触ＩＣ読み取り部により読み取って取得した機器ＩＤに基づいて所望の機器を特定し、その特定した機器から取得した画像データを印刷する方法が提案されている。（例えば、特許文献２参照。）
【特許文献１】特開２００６−３３８３０７号公報
【特許文献２】特開２００５−０９９９４５号公報
【発明の開示】
【発明が解決しようとする課題】
【０００４】
しかしながら、特許文献１の技術は、非接触認証による印刷データの安全性確保にのみ重点が置かれ、当該印刷データに対する他の処理やその他の利便性の確保については何らの考慮もなされていないという不満が残るものである。
【０００５】
また、特許文献２の技術は、特定の装置とその装置の周囲にその装置と無線通信ができる複数の機器が存在することが前提となっており、現在のＩＣタグの通信距離が最大でも５ｍ前後であることを考えると、無線通信を用いたシステム構築の手法としては自由度のない方法であって応用性や利用性に欠けるという問題がある。
【０００６】
本発明の課題は、上記従来の実情に鑑み、非接触認証による利便性を追求し距離に関係なく印刷装置単独、複数の印刷装置同士、又はその他ネットワーク上の各種機器内において印刷データを保持し管理し印刷制御する非接触認証による印刷データ処理方法を提供することである。
【課題を解決するための手段】
【０００７】
本発明の非接触認証による印刷データ処理方法は、コンピュータにおいて、認証を行う認証コードを移動体通信機器から非接触にて取得する工程と、印刷データを取得する工程と、該取得した印刷データに上記認証コードを付加し該認証コードの付加された上記印刷データを印刷装置に送信する工程と、を含み、上記印刷装置において、上記コンピュータ側から送信された認証コード付き印刷データを受信する工程と、該受信した上記認証コード付き印刷データを記憶装置に記憶する工程と、所定の領域内に上記認証コードを保持した上記移動体通信機器が存在することを検知する工程と、検知された上記移動体通信機器から上記認証コードを非接触にて読み出す工程と、該読み出した認証コードが上記記憶装置に記憶されている上記認証コード付き印刷データの認証コードと合致する否か比較する工程と、両上記認証コードが一致したとき上記認証コード付き印刷データの識別データを上記移動体通信機器に送信する工程と、上記移動体通信機器から上記識別データで識別される上記認証コード付き印刷データの印刷を指示する指示信号を受信したとき該認証コード付き印刷データを上記記憶装置から読み出して印刷出力する工程と、を含むように構成される。
【０００８】
上記移動体通信機器は、例えば、自機の表示装置に、上記印刷装置から送信された上記認証コード付き印刷データの上記識別データを表示し、該識別データを選択指定し、該識別データに対応する上記認証コード付き印刷データの印刷を指示する指示信号を上記印刷装置に送信するように構成される。
【０００９】
また、上記印刷装置は、例えば、無線又は有線にて接続されている他の印刷装置に上記認証コードと一致する上記認証コード付き印刷データが保持されているか否かを検索する工程と、上記認証コードと一致する上記認証コード付き印刷データが保持されているときは該認証コード付き印刷データの識別コードを収集する工程と、該収集した上記識別コードを上記移動体通信機器に送信する工程と、該移動体通信機器により選択された上記識別データで識別される上記認証コード付き印刷データの印刷を指示する指示信号を受信したとき該認証コード付き印刷データを上記他の印刷装置から読み出して印刷出力する工程と、を更に備えるように構成される。
【００１０】
また、例えば、上記コンピュータは、上記取得した印刷データに上記認証コードを付加して上記印刷装置に送信するに際し、上記印刷データに転送先データを付加する工程を更に有し、上記印刷装置は、上記移動体通信機器から上記識別データで識別される上記認証コード付き印刷データの印刷を指示する指示信号を受信して該認証コード付き印刷データを上記記憶装置から読み出したとき該印刷データに上記転送先データが付加されている場合は、上記印刷データを上記転送先に転送すると共に上記印刷データを印刷出力する工程を更に有する、ように構成される。
【００１１】
この場合、上記転送先は、コンピュータ、インフォメイション・プロバイダ、保存用フォルダ、アップロード先、他の印刷装置、ファクシミリ装置、又はファイル内容加工用ワークフォルダである。
【００１２】
また、上記印刷装置は、上記移動体通信機器から直接送信された印刷データを印刷する印刷工程を更に有するように構成してもよい。
【００１３】
また、上記印刷装置は、例えば、上記移動体通信機器から非接触にて読み出した上記認証コードが上記記憶装置に記憶されている上記認証コード付き印刷データの認証コードと一致したとき上記認証コード付き印刷データの識別データを自機の表示操作装置に表示報知する工程と、上記表示操作装置から上記識別データで識別される上記認証コード付き印刷データの印刷を指示する指示入力がなされたとき、該認証コード付き印刷データを上記記憶装置から読み出して印刷出力する工程と、を更に有するように構成してもよい。
【発明の効果】
【００１４】
本発明によれば、距離に関係なく印刷装置単独、複数の印刷装置同士、又はその他ネットワーク上の各種機器内において印刷データを保持し管理し印刷制御するという利便性に富んだ非接触認証による印刷データ処理方法を提供することが可能となる。
【発明を実施するための最良の形態】
【００１５】
以下、本発明の実施の形態を図面に基づいて詳細に説明する。
【００１６】
図１は、本発明の実施形態における非接触認証による印刷データ処理方法を実現するための全体システムの構成図である。
【００１７】
図１に示すように、非接触認証による印刷データ処理システムは、例えば大容量の記憶装置を備えたコンピュータからなるメインフレーム１と、このメインフレーム１に対しＬＡＮ（local area network）２を介して接続された複数（同図では４台）のコンピュータ３、及び複数（同図では１１台）のプリンタ４を備えている。
【００１８】
また、ＬＡＮ２には、更に他のＬＡＮ５が接続されており、このＬＡＮ５には、複数（同図では６台）のラップトップＰＣ（パーソナルコンピュータ）６、複数（同図では５台）のプリンタ７、及び複数（同図では４台）のワークステーション８が接続されている。
【００１９】
上記ＬＡＮ２に接続されているプリンタ４、及びＬＡＮ５に接続されているプリンタ７に、いずれも大容量の記憶装置９を備えている。
【００２０】
図２は、上記の全体システム構成図におけるコンピュータ３、ラップトップＰＣ６、又はワークステーション８の内部主要部の構成を、代表的にパーソナルコンピュータを例にとって説明する図である。
【００２１】
図２に示すように、パーソナルコンピュータ１０（又はコンピュータ３、又はラップトップＰＣ６、又はワークステーション８、以下同様）は、ＣＰＵ(central processing unit）１１を中心に、このＣＰＵ１１にバス１２を介して接続されたＲＯＭ(read only memory)１３、ＲＡＭ(Random Access Memory)１４、ＨＤ(hard disk）１５からなる記憶部と、同じくバス１２に接続された表示制御部１６、入力制御部１７、ＵＳＢ(universal serial bus)通信制御部１８、及びＬＡＮ通信制御部１９を備えている。
【００２２】
上記のＲＯＭ１３にはパーソナルコンピュータ１０を制御するためのＯＳが記憶されている。
【００２３】
ＲＡＭ１４には、ＨＤ１５から読み出された各種のアプリケーション、ドライバ、管理ツールが常駐又はそれらが起動される都度格納される。また、ＲＡＭ１４には、アプリケーション、ドライバ、又は管理ツールが常駐又は格納されると共に、ＣＰＵ１１が演算処
理する途中データや結果データが所定の記憶領域に格納される。
【００２４】
ＣＰＵ１１は、ＲＯＭ１３から読み出したＯＳに従って動作し、必要に応じてＨＤ１５又はＲＡＭ１４から所望のアプリケーション、ドライバ又は管理ツールを読み出し、その読み出したアプリケーション、ドライバ又は管理ツールに基づいて各部を制御する。
【００２５】
そして、上記のＨＤ１５には、少なくとも印刷装置ドライバ２１、各種のアプリケーション２２、及び非接触認証コード管理ツール２３がインストールされている。
【００２６】
印刷装置ドライバ２１は、このパーソナルコンピュータ１０で作成された文章や図面をこのパーソナルコンピュータ１０にＬＡＮ又は専用通信線で接続されているプリンタ４又は７に、印字様式その他の印字条件を付与した状態で送信するときに起動される。
【００２７】
アプリケーション２２は、このパーソナルコンピュータ１０にプレインストールされているものの他に、このパーソナルコンピュータ１０を使用する使用者の要望に応じてインストールされた数だけの、例えば各種の文章、各種の図面を作成可能な多種類のアプリケーションで構成されている。
【００２８】
非接触認証コード管理ツール２３は、このパーソナルコンピュータ１０を使用する複数の使用者の非接触認証コード（ＵＩＤcode：unique identification cord）を記憶・管理している。
【００２９】
また、表示制御部１６にはディスプレイ２４が接続され、入力制御部１７にはキーボード２５が接続され、ＵＳＢ通信制御部１８には非接触型認証装置２６が接続されている。
【００３０】
表示制御部１６は、ＣＰＵ１１からの制御のもとに、起動されたアプリケーション２２から指示される表示内容や、その表示内容に対応して入力制御部１７を介してキーボード２５から入力されるイベントに基づく表示内容をディスプレイ２４に表示する。
【００３１】
ＵＳＢ通信制御部１８は、非接触型認証装置２６への入出力を制御する。非接触型認証装置２６は、ＵＳＢ通信制御部１８に接続された非接触型認証制御部２７とこの非接触型認証制御部２７に接続されている非接触認証デバイス２８とから成る。
【００３２】
上記の非接触認証コード管理ツール２３により記憶・管理されている複数の使用者にそれぞれ対応する非接触認証コードは、ＣＰＵ１１によって、非接触認証制御部２７の非接触認証デバイス２８を介して読み取られた移動体通信機器の非接触認証コードと対比され、一致するものがあるか否かが検証される。
【００３３】
ＬＡＮ通信制御部１９は、このパーソナルコンピュータ１０にＬＡＮ２及び５を介して接続されている他のパーソナルコンピュータ１０、プリンタ４、又は７とこのパーソナルコンピュータ１０との通信を制御し、印刷装置ドライバ２１から渡された文章や図面の印刷データを、他のパーソナルコンピュータ１０、プリンタ４、又は７に送信し、又は他のパーソナルコンピュータ１０の印刷装置ドライバ２１が作成した印刷データを受信する。
【００３４】
図３は、上記の全体システム構成図におけるプリンタ４及び７の内部主要部の構成を、代表的にＭＦＰ（multi function printer）を例にとって説明する図である。
【００３５】
図３に示すように、ＭＦＰ３０は、ＭＦＰ制御部３１とスキャナ部３２とプリンタ部３３とから構成されている。ＭＦＰ制御部３１は、ＭＦＰメイン制御部３４を備えている。
【００３６】
そして、このＭＦＰメイン制御部３４に、非接触通信制御部３５が接続され、この非接触通信制御部３５には非接触通信デバイス３６が接続されている。
【００３７】
また、ＭＦＰメイン制御部３４には、ＬＡＮ通信制御部３７、記憶装置制御部３８が接続されている。この記憶装置制御部３８にはＨＤを備えた記憶装置部３９が接続されている。
【００３８】
また、ＭＦＰメイン制御部３４には、更に、読取機構制御部４１が接続され、この読取機構制御部４１には、スキャナ部３２の読取機構部４２が接続されている。
【００３９】
また、ＭＦＰメイン制御部３４には、表示操作制御部４３が接続され、この表示操作制御部４３には表示操作部４４が接続されている。
【００４０】
更に、ＭＦＰメイン制御部３４には、ＦＡＸ(facsimile）通信制御部４５とプリンタ部３３のプリンタ制御部４６が接続されている。プリンタ制御部４６にはプリンタのエンジン部である印刷機構部４７が接続されている。この印刷機構部４７から印刷結果４８が印刷出力される。
【００４１】
上記の非接触通信制御部３５は、非接触通信デバイス３６を制御して、自機ＭＦＰ３０の近傍を通過する又は近傍に停止した移動体通信機器の非接触認証コードを読み取ってＭＦＰメイン制御部３４に通知する。
【００４２】
ＬＡＮ通信制御部３７は、このＭＦＰ３０にＬＡＮ２及び５を介して接続されているパーソナルコンピュータ１０又は他のＭＦＰ３０とこのＭＦＰ３０との通信を制御し、自機ＭＦＰ３０を指定してきたパーソナルコンピュータ１０で作成された文章や図面の印刷データを受信し、必要に応じて他のＭＦＰ３０の記憶装置部（ＨＤ）３９に記憶されている印刷データを受信する。
【００４３】
記憶装置制御部３８は、ＭＦＰメイン制御部３４からの制御のもとに、ＬＡＮ通信制御部３７が外部から受信した後述する非接触認証コード付き印刷データを記憶装置部（ＨＤ）３９に格納する。
【００４４】
スキャナ部３２は、読取機構部４２に設定された原稿の内容を読み取って、その読み取った原稿の内容を、読取機構制御部４１を介してＭＦＰメイン制御部３４に通知する。
【００４５】
表示操作部４４は、例えばタッチパネル式の表示操作装置からなり、表示操作制御部４３からの制御のもとに、自機ＭＦＰ３０の使用者に必要事項を表示報知し、その使用者からのタッチ入力イベントを、表示操作制御部４３を介してＭＦＰメイン制御部３４に通知する。
【００４６】
ＦＡＸ通信制御部４５は、ＭＦＰメイン制御部３４からＦＡＸで通信するよう指示された通信データを、同じく指示されたＦＡＸ送信先に、ＬＡＮ２又はＬＡＮ５を介して送信する。あるいは、ＬＡＮ２又はＬＡＮ５を介して自機ＭＦＰ３０宛てに送信されたＦＡＸ通信データを受信して、ＭＦＰメイン制御部３４に通知する。
【００４７】
プリンタ制御部４６は、ＭＦＰメイン制御部３４からの制御のもとに、スキャナ部３２に読み取られた原稿内容を始めとして、記憶装置部（ＨＤ）３９から読み出された印刷データや、ＦＡＸ通信で受信した印刷データ等を、印刷機構部４７により、印刷結果４８として印刷出力する。
【００４８】
図４は、本例の全体システム構成図には図示を省略した移動体通信機器の内部主要部の構成を説明する図である。
【００４９】
本例における移動体通信機器には、非接触ＩＣカード、携帯電話、無線ＬＡＮ機器、無線通信可能な電子手帳や携帯ゲーム機、赤外線通信機器、Ｂｌｕｅｔｏｏｔｈ（登録商標）機器、ＩＣカードを装着したコンピュータ等が含まれる。いずれの場合も、非接触認証コードを備えているものとする。
【００５０】
尚、上記に挙げた移動体通信機器の中ではＩＣカードのみが特異な例である。一般に、非接触通信装置本体機器と通信するＩＣカードの場合は、アンテナに接続されたＩＣチップを備え、アンテナが受信した電波によって電力を生じてＩＣチップのプログラムが起動し、ＩＣチップ内のメモリに書き込まれている非接触認証コードやそのたのデータが非接触通信装置本体機器との間で通信される。
【００５１】
通信距離は短いもので数ｃｍ、長いものでも２〜５ｍであり、使用目的、アンテナの形状、アンテナの設計許容サイズによって通信距離は異なってくる。
【００５２】
しかし、携帯電話その他の自機内に電源が内蔵されている無線通信可能な移動体通信機器は、大電力を使用でき、アンテナの性能や赤外線送受信装置も比較的長距離型であるので、通信距離は上記のように短距離ではない。また、非接触認証コードやそのたのデータも、ＲＡＭやＨＤに記憶しておくことができる。
【００５３】
図４に示す移動体通信機器は、上記のように自機内に電源が内蔵されている大電力使用型の移動体通信機器を例にとって示している。
【００５４】
図４に示す移動体通信機器５０は、ＣＰＵ５１を中心に、このＣＰＵ５１にバス３２を介して接続されたＲＯＭ５３、ＲＡＭ５４、不揮発メモリ又はＨＤ５５からなる記憶部と表示制御部５６、入力制御部５７、非接触型認証装置５８、及び無線通信制御部５９を備えている。
【００５５】
上記の不揮発メモリ又はＨＤ５５には、アプリケーション６１や、非接触認証コード６２等が記憶されている。また、表示制御部５６にはディスプレイ６３が接続され、入力制御部５７にはキーボード６４が接続されている。
【００５６】
また、非接触型認証装置５８には、非接触型認証制御部６５とこの非接触型認証制御部６５に接続されている非接触認証デバイス６６が設けられている。
【００５７】
上記の移動体通信機器５０のＣＰＵ５１、バス３２、ＲＯＭ５３、ＲＡＭ５４、不揮発メモリ又はＨＤ５５、表示制御部５６、入力制御部５７、非接触型認証装置５８、アプリケーション６１、ディスプレイ６３、キーボード６４、非接触型認証制御部６５、及び非接触認証デバイス６６の構成及び機能は、図２に示したパーソナルコンピュータ１０の
ＣＰＵ１１、バス１２、ＲＯＭ１３、ＲＡＭ１４、ＨＤ１５、表示制御部１６、入力制御部１７、非接触型認証装置２６、アプリケーション２２、ディスプレイ２４、キーボード２５、非接触型認証制御部２７、及び非接触認証デバイス２８の構成及び機能とほぼ同一である。
【００５８】
尚、移動体通信機器５０の無線通信制御部５９は、ＣＰＵ５１の制御のもとに、不揮発メモリ又はＨＤ５５に格納されている非接触認証コード６２を読み出して、その読み出した非接触認証コード６２を、不図示のアンテナ送受信機又は赤外線送受信器により外部に発信し、また、キーボード６４からの入力イベントを同じく外部に発信し、外部からの自機宛通信を受信する。
【００５９】
図５(a) は、実施形態１におけるＰＣ（パーソナルコンピュータ）の印刷データ出力の処理動作を説明するフローチャートであり、図５(b) はＭＦＰ（以下、単にプリンタともいう）側で受信した印刷データ保存処理を説明するフローチャートである。
【００６０】
先ず、印刷開始のアプリケーションが起動される（ステップＳ１）。この処理では、図２に示すパーソナルコンピュータ１０のアプリケーション２２の中の印刷アプリケーショが起動される。
【００６１】
そして、パーソナルコンピュータ１０の使用者（例えば使用者Ａ）により、例えばキーボード２５が操作され、ディスプレイ２５を見ながら、上記アプリケーションが有するフォーマットによって文章や図面等の印刷データが作成される。
【００６２】
この印刷データの作成の終了が確認入力されると、印刷装置ドライバ２１は、非認証コード管理ツールにより、非接触認証デバイス２８から認証コードを取得する（ステップＳ２）。
【００６３】
この処理では、非認証コード管理ツール２３からの指示により、非接触型認証制御部２７が非接触認証デバイス２８を制御して、使用者Ａが所有する図４に示す移動体通信機器５０と非接触の通信を行い、使用者Ａが所有する移動体通信機器５０の不揮発メモリ又はＨＤ５５に記憶されている非接触認証コード６２を、非接触型認証制御部６５及び非接触認証デバイス６６を介して取得する。
【００６４】
続いて、印刷装置ドライバ２１は、上記作成が終了した文章や図面等の印刷データ（以下、単に印刷データという）に上記取得された非接触認証コード６２を付加して、この非接触認証コード６２が付加された印刷データを、使用者Ａが指定するプリンタに、有線または無線で送信する（ステップＳ３）。
【００６５】
上述した処理は、使用者Ａに限ることなく、パーソナルコンピュータ１０の複数の使用者Ｂ、Ｃ、Ｄ・・・によって実行される印刷データ入力操作に対応して行われる。
【００６６】
これらの印刷データを受信した図３に示すプリンタ側では、ＭＦＰメイン制御部３４が図５(b) に示すように、受信した印刷データ内の認証コードを認識する（ステップＳ１１）。
【００６７】
この処理は、上記パーソナルコンピュータ１０におけるステップＳ３において印刷データに付加された認証コードを検出する処理である。
【００６８】
そして、ＭＦＰメイン制御部３４は、この検出された認証コード毎に印刷データを別々に仕分けして記憶装置部（ＨＤ）３９に保存する（ステップＡ１２）。これにより認証コードが付加されている印刷データが、認証コード毎に仕分けされて記憶装置部（ＨＤ）３９に保存される。
【００６９】
ここまでに説明したパーソナルコンピュータ１０及びＭＦＰ３０による処理は、以下に述べる実施形態１〜６において、前段の処理として共通に行われる処理である。
【００７０】
（実施形態１）
続いて、上記の構成及び処理を前提とした実施形態１としての移動体通信機器５０による印刷データ情報入力処理とプリンタ３０による印刷制御の処理について説明する。
【００７１】
図６(a) は、移動体通信機器５０による印刷データ情報入力処理を説明するフローチャートであり、図６(b) は、プリンタ３０による印刷制御の処理を説明するフローチャートである。
【００７２】
図６(a) に示すように、本例では、先ず移動体通信機器５０において、アプリケーション６１が起動され、このアプリケーション６１に基づいて、ＣＰＵ５１は、移動体通信機器５０の所有者の操作により移動体通信機器５０に一体のキーボード６４、又は非接触通信デバイス６６、又は無線通信制御部５９を介して外部から入力される印刷データ情報を取得する（ステップＳ２１）。
【００７３】
この処理における印刷データ情報としては、例えば印刷を実行するプリンタの機番、印刷データの指定では例えば印刷データを特定するファイル名等の識別コード又はプリンタに保存されている全ての印刷データ、印刷データの保存場所指定では例えば親展印刷ジョブのフォルダ、パスワードの指定では例えば「パスワード＝◎○□△」等の情報である。
【００７４】
移動体通信機器５０のＣＰＵ５１は、上記いずれかの方法により入力された上記のような印刷データ情報を、不揮発メモリ又はＨＤ５５の所定の領域に格納する（ステップＳ２２）。
【００７５】
尚、本例の場合、上記の処理に先立って、図５(a) のステップＳ１の処理では、印刷データが作成されたとき、こと共に上記の印刷データ情報も入力されているものとする。
【００７６】
次に、プリンタ３０による印刷制御の処理では、先ず、ＭＦＰメイン制御部３４は、図６(b) に示すように、非接触通信制御部３５及び非接触通信デバイス３６を介した移動体通信機器５０の非接触通信デバイス６６との通信により、移動体通信機器５０が自機プリンタ３０に接近しているのを確認する（ステップＳ３１）。
【００７７】
この確認に続いて、ＭＦＰメイン制御部３４は、上記移動体通信機器５０の認証コードを、上記と同様の通信方法により取得する（ステップＳ３２）。
【００７８】
そして、ＭＦＰメイン制御部３４は、上記取得した認証コードと合致する認証コードを付与されている印刷データが記憶装置部３９に格納されているか否か検索する（ステップＳ３３）。
【００７９】
そして、取得した認証コードと合致する認証コードを付与されている印刷データが記憶装置部３９に格納されていないときは（Ｓ３３がＮｏ）、何も処理を行わない。
【００８０】
一方、取得した認証コードと合致する認証コードを付与されている印刷データが記憶装置部３９に格納されているときは（Ｓ３３がＹｅｓ）、移動体通信機器５０の不揮発メモリ又はＨＤ５５に格納されている上記の印刷データ情報を、上記と同様の通信方法により取得する（ステップＳ３４）。
【００８１】
そして、この取得した印刷データ情報と合致する印刷データ情報を有する印刷データが記憶装置部３９に格納されているか否か検索する（ステップＳ３５）。
【００８２】
この検索で、取得した印刷データ情報と合致する印刷データ情報を有する印刷データが記憶装置部３９に格納されていないときは（Ｓ３５がＮｏ）、何も処理を行わない。
【００８３】
一方、取得した印刷データ情報と合致する印刷データ情報を有する印刷データが記憶装置部３９に格納されているときは（Ｓ３５がＹｅｓ）、その印刷データをプリンタ部３３の印刷機構部４７において印刷出力する（ステップＳ３６）。
【００８４】
このように、予めパーソナルコンピュータ１０から認証コードを付与された印刷データ情報を有する印刷データが所定のプリンタ３０に送信され、その印刷データを入力した人物が上記のプリンタ３０に近接しただけで、その人物が所有する移動体通信機器５０の認証コードがプリンタ３０により読み出されて認証され、プリンタ３０に送信されていた印刷データが自動的に印刷出力される。
【００８５】
このように、印刷データを入力した人物が、その印刷データによる印刷出力を得るためにプリンタ３９に近づいたときだけ本人分の且つ印刷データ情報で指定された印刷データが印刷出力がなされるので、所望の印刷出力の取り忘れが無くなる。
【００８６】
また、印刷データをプリンタに送信しただけでは印刷出力が行われないので、印刷出力を得るためにプリンタ３９に近づいた人物の印刷出力と他人の印刷出力が混合することもない。
【００８７】
（実施形態２）
次に、実施形態２としてのプリンタ３０による印刷データ情報の提供処理、移動体通信機器５０による印刷データの選択処理、及びプリンタ３０による印刷制御の処理について説明する。
【００８８】
図７(a) は、プリンタ３０による印刷データ情報の提供処理と印刷制御の処理を説明するフローチャートであり、図７(b) は移動体通信機器５０による印刷データの選択処理のフローチャートである。
【００８９】
先ず、図７(a) において、ステップＳ４１、Ｓ４２、及びＳ４３の処理は、図６(b) に示したステップＳ３１、Ｓ３２、及びＳ３３の処理と同一である。
【００９０】
また、本例の場合も、図５(a) のステップＳ１の処理では、印刷データが作成されたとき、こと共に前述した印刷データ情報も入力されているものとする。
【００９１】
本例においては、続くステップＳ４４の処理が図６(b) の場合と異なる。すなわち本例においては、取得した認証コードと合致する認証コードを付与されている印刷データが記憶装置部３９に格納されているときは（Ｓ４３がＹｅｓ）、次のステップＳ４４の処理では、当該印刷データの印刷データ情報を、ここまでと同様の通信方法により、移動体通信機器５０に送信する。
【００９２】
これに対して、移動体通信機器５０の処理では、図７(b) に示すように、移動体通信機器５０のＣＰＵ５１は、受信した上記の印刷データ情報をディスプレイ６３に表示する（ステップＳ５１）。
【００９３】
ここで移動体通信機器５０の所有者により、キーボード６４の例えば上下左右のカーソルキーと中央の決定ボタンからなる十字キーが操作され、ディスプレイ６３に表示されている印刷データ情報が単数であればそのまま選択され、複数であれば所望の印刷データ情報をカーソルキーで選択することにより、その選択した印刷データ情報で特定される印刷データが選択される。
【００９４】
更に移動体通信機器５０の所有者により、アプリケーション６１で表示されるメニューの中から、印刷方法が指定される（ステップＳ５２）。
【００９５】
この指定される印刷方法は、例えば印刷枚数、印刷部数、片面印刷、両面印刷、余白代等の印刷条件である。なお、拡大印刷、縮尺印刷等の印刷条件が加わっても良いことは言うまでも無い。
【００９６】
移動体通信機器５０のＣＰＵ５１は、上記選択・指定された情報をプリンタ３０に送信する（ステップＳ５３）。
【００９７】
ここで再びプリンタ３０側では、図７(a) に示すように、選択された印刷データ情報に合致する印刷データを再び記憶装置部３９から読み出し、その印刷データを移動体通信機器５０から指定された印刷方法に合わせてプリンタ部３３の印刷機構部４７において印刷出力する（ステップＳ４５）。
【００９８】
このように、予めパーソナルコンピュータ１０から認証コードを付与された印刷データとその印刷データ情報が所定のプリンタ３０に送信され、その印刷データを入力した人物が上記のプリンタ３０に近接しただけで、その人物が所有する移動体通信機器５０の認証コードがプリンタ３０により読み出されて認証され、予めプリンタ３０に送信されていた上記認証と印刷データ情報に対応する印刷データが予め指定されている印刷方法で自動的に印刷出力される。
【００９９】
（実施形態３）
次に、実施形態３としてのプリンタ３０による印刷データ情報の提供処理と印刷制御の他の形態による処理、及び移動体通信機器５０による印刷データの選択処理について説明する。
【０１００】
図８(a) は、実施形態３としてのプリンタ３０による印刷データ情報の提供処理と印刷制御の処理を説明するフローチャートであり、図８(b) は移動体通信機器５０による印刷データの選択処理のフローチャートである。
【０１０１】
先ず、図８(a) において、ステップＳ６１、及びＳ６２の処理は、図７(a) に示したステップＳ４１、及びＳ４２の処理と同一である。
【０１０２】
尚、本例の場合も、図５(a) のステップＳ１の処理では、印刷データが作成されたとき、こと共に前述した印刷データ情報も入力されているものとする。
【０１０３】
また、送信対象となるプリンタは特定の１台のみではなく、図１に示したＬＡＮ２及び５のネットワークに接続されている全てのプリンタ４又は７の任意の複数台に送信され得るものとする。
【０１０４】
本例においては、続くステップＳ６３以降の処理が図７(a) の場合と異なる。すなわち本例においては、プリンタ３０のＭＦＰメイン制御部３４は、取得した認証コードと合致する認証コードを付与されている印刷データを、ネットワーク等に接続されている全てのプリンタ３０の記憶装置部３９を検索して、その情報を収集する（ステップＳ６３）。
【０１０５】
この処理では、ネットワーク等に接続されている全てのプリンタ３０の記憶装置部３９が検索され、取得した認証コードと合致する認証コードを付与されている印刷データが有れば、その印刷データの印刷データ情報が、移動体通信機器５０と対話中の当該プリンタ３０の記憶装置部３９に収集される。
【０１０６】
そして、ＭＦＰメイン制御部３４は、取得した認証コードと合致する認証コードを付与されている印刷データの印刷データ情報が記憶装置部３９に収集されているか否かを判別する（ステップＳ６４）。
【０１０７】
この判別処理では、記憶装置部３９にたとえ１個でも該当する印刷データ情報が収集されていれば、検索対象となった上記認証コードが合致する印刷データが存在すると判別される。
【０１０８】
そして、ＭＦＰメイン制御部３４は、記憶装置部３９に認証コードが合致する印刷データの印刷データ情報が１個も収集されていないときは（Ｓ６４がＮｏ）、認証コードが合致する印刷データが存在しないと判断して、何も実行しない。
【０１０９】
一方、ＭＦＰメイン制御部３４は、記憶装置部３９に認証コードが合致する印刷データの印刷データ情報が１個でも収集されているときは（Ｓ６４がＹｅｓ）、認証コードが合致する印刷データが存在すると判断し、記憶装置部３９に収集されている印刷データ情報をこれまでと同様の通信方法により移動体通信機器５０に送信する（ステップＳ６５）。
【０１１０】
これに対する移動体通信機器５０の処理において、図８(b) に示すステップＳ７１、Ｓ７２、及びＳ７３の処理は、図７(b) に示した移動体通信機器５０におけるステップＳ５１、Ｓ５２、及びＳ５３の処理と同一である。
【０１１１】
プリンタ３０側では、上記ステップＳ５３の処理で送信された選択・指定された情報を受信して、図８(a) に示すように、選択・指定された情報に基づいて、自機プリンタも含む該当するプリンタ３０の記憶装置部３９から選択・指定された情報に対応する印刷データを取得し、自機プリンタの記憶装置部３９の所定のワーク領域内に転送する（ステップＳ６６）。
【０１１２】
そして、その印刷データを自機プリンタの記憶装置部３９の所定のワーク領域から読み出し、その印刷データを、上記選択・指定された情報に対応する印刷方法に合わせてプリンタ部３３の印刷機構部４７において印刷出力する（ステップＳ６７）。
【０１１３】
このように、本例では、プリンタは、接近した移動体通信機器との認証が確立出来た段階で、自らも含めてネットワーク等に接続された他の全てのプリンタから、それぞれが保持する上記認証に合致する印刷データ情報及びそれぞれの保存場所情報を非接触通信により移動体通信機器側に送信する。
【０１１４】
表示装置を有している移動体通信機器は、受信した情報を表示装置に表示し、移動体通信機器の使用者は、表示装置に表示された中から所望のデータを選択し、更に印刷方法を指定する。
【０１１５】
プリンタは、それら選択・指定された情報を移動体通信機器から受信して取得し、その取得した情報に合わせて印刷を実行する。
【０１１６】
他のプリンタに保持されている印刷データが指定された場合には、その該当プリンタから印刷データを取得して印刷を実行する。
【０１１７】
（実施形態４）
次に、実施形態４としてのプリンタ３０による印刷データ情報の提供処理と印刷制御の他の形態による処理、及び移動体通信機器５０による印刷データの選択処理について説明する。
【０１１８】
図９(a) は、実施形態４としてのプリンタ３０による印刷データ情報の提供処理と印刷制御の処理を説明するフローチャートであり、図９(b) は移動体通信機器５０による印刷データの選択処理と記憶処理のフローチャートである。
【０１１９】
尚、本例の場合も、予め図５(a) のステップＳ１の処理で、印刷データが作成されたとき、こと共に前述した印刷データ情報も入力されているものとする。
【０１２０】
また、送信対象となるプリンタは特定の１台のみではなく、図１に示したＬＡＮ２及び５のネットワークに接続されている全てのプリンタ４又は７の任意の複数台に送信され得るものとする。
【０１２１】
先ず、図９(a) において、プリンタ側の処理において、ステップＳ８１〜Ｓ８５の処理は、図８(a) に示したステップＳ６１〜Ｓ６５の処理と同一である。
【０１２２】
これに対する移動体通信機器５０の処理において、本例では、図９(b) に示すように、ＣＰＵ５１は、受信した上記の印刷データ情報をディスプレイ６３に表示する（ステップＳ９１）。
【０１２３】
次に、移動体通信機器５０の所有者により、キーボード６４の例えば上下左右のカーソルキーと中央の決定ボタンからなる十字キーが操作され、取得したい印刷データに対応する印刷データ情報が選択される（ステップＳ９２）。
【０１２４】
そして、その選択された印刷データ情報がプリンタ３０に送信される（ステップＳ９３）。
【０１２５】
プリンタ３０側では、上記ステップＳ９３の処理で送信された選択された情報を受信して、図９(a) に示すように、選択された情報に基づいて、自機プリンタも含む該当するプリンタ３０の記憶装置部３９から選択された情報に対応する印刷データを取得し、自機プリンタの記憶装置部３９の所定のワーク領域内に転送する（ステップＳ８６）。
【０１２６】
そして、その印刷データを自機プリンタの記憶装置部３９の所定のワーク領域から読み出し、その印刷データを、移動体通信機器５０に送信する（ステップＳ８７）。
【０１２７】
移動体通信機器５０側では、その送信された印刷データを受信して、その受信した印刷データを自機移動体通信機器５０の不揮発メモリ又はＨＤ５５に格納する。
【０１２８】
このように、本例では、プリンタは、接近した移動体通信機器との認証が確立出来た段階で、自機も含めてネットワーク等に接続された他の全てのプリンタから、それぞれが保持する印刷データの印刷データ情報を非接触通信により移動体通信機器側に送信する。
【０１２９】
表示装置を有している移動体通信機器は、受信した情報を表示し、使用者は、その中からその移動体通信機器側に転写して取得したい印刷データに対応する印刷データ情報を選択指定する。
【０１３０】
プリンタは、それら選択指定されえた情報を移動体通信機器から受信し、その受信した印刷データ情報に合致する印刷データを該当プリンタから読み出して、その読み出した印刷データを移動体通信機器側に転送する。
【０１３１】
尚、このように印刷データを自機移動体通信機器に転写する場合は、ステップＳ８３の処理では、認証データに一致する印刷データに限ることなく、公開可能な又は共通の印刷データがプリンタに保持されている場合は、それらの印刷データの印刷データ情報も収集するようにしてもよい。
【０１３２】
また、移動体通信機器側のステップＳ９２の処理で、ディスプレイに表示されている印刷データ情報とは関係なしに、コンピュータ名、ＩＰアドレス、フォルダ名等を指定して、それらの入力情報をステップＳ９３でプリンタ側に送信するようにしてもよい。
【０１３３】
プリンタ側では、それらの情報を受け取り、その指定通りの場所に保持されている印刷データを取得して移動体通信機器側に返信し、移動体通信機器側で上記同様にその印刷データを複写（不揮発メモリ又はＨＤ５５に格納）するようにしてもよい。
【０１３４】
（実施形態５）
次に、実施形態５としての移動体通信機器５０による印刷データ情報入力処理とプリンタ３０による制御の処理について説明する。
【０１３５】
図１０(a),(b) は、移動体通信機器５０による印刷データ情報入力処理と送信処理を説明するフローチャートであり、図１０(c) は、プリンタ３０による制御の処理を説明するフローチャートである。
【０１３６】
図１０(a) に示すように、本例では、先ず移動体通信機器５０において、アプリケーション６１が起動され、このアプリケーション６１に基づいて、ＣＰＵ５１は、移動体通信機器５０の所有者の操作により移動体通信機器５０に一体のキーボード６４、又は非接触通信デバイス６６、又は無線通信制御部５９を介して外部から入力される印刷データ情報を取得し、更にその印刷データの転送先情報を取得する（ステップＳ１０１）。
【０１３７】
この処理における印刷データ情報としては、既述の通りであり、例えば印刷を実行するプリンタの機番、印刷データを特定するファイル名等の識別コード、又はプリンタに保存されている全ての印刷データ、印刷データの保存場所指定では例えば親展印刷ジョブのフォルダ、単純印刷待ちジョブのフォルダ、文章作成アプリケーションで定まるフォーマットフォルダ、記憶装置代替フォルダ等である。また、パスワードの指定では例えば「パスワード＝◎○□△」等の情報である。
【０１３８】
また、転送先情報については、例えば任意のＰＣ（パーソナルコンピュータ）、ＩＰ（information provider）、メインフレーム１の適宜のＦｏｌｄｅｒ、アップロード先、プリンタ、ＦＡＸ送信先、別属性に加工用の再保存先（例えば専用フォルダ）などである。
【０１３９】
移動体通信機器５０のＣＰＵ５１は、上記いずれかの方法により入力された上記のような印刷データ情報を、不揮発メモリ又はＨＤ５５の所定の領域に格納する（ステップＳ１０２）。
【０１４０】
この後、プリンタ３０側において図１０(c) に示すステップＳ２０１〜Ｓ２０４の処理は、図７に示したステップＳ４１〜Ｓ４４の処理と同一である。
【０１４１】
これに対して、移動体通信機器５０の処理では、図１０(b) に示すように、移動体通信機器５０のＣＰＵ５１は、受信した上記の印刷データ情報をディスプレイ６３に表示する（ステップＳ１０３）。
【０１４２】
ここで移動体通信機器５０の所有者により、キーボード６４の例えば上下左右のカーソルキーと中央の決定ボタンからなる十字キーが操作され、ディスプレイ６３に表示されている印刷データ情報をカーソルキーで選択・指定する。
【０１４３】
更に移動体通信機器５０の所有者により、アプリケーション６１で表示されるメニューの中から、印刷方法が指定される。
【０１４４】
また、更に、不揮発メモリ又はＨＤ５５に格納されている転送先データが読み出されてディスプレイ６３に表示され、移動体通信機器５０の所有者により選択入力される（ステップ１０４）。
【０１４５】
移動体通信機器５０のＣＰＵ５１は、上記選択・指定された印刷データ情報、指定された印刷方法、選択入力された転送先データをプリンタ３０に送信する（ステップＳ１０５）。
【０１４６】
ここで再びプリンタ３０側では、図１０(c) に示すように、上記同様の非接触通信により印刷データ情報、印刷方法、転送先データ等を取得する（ステップ２０５）。
【０１４７】
そして、その取得した印刷データ情報に、転送先データが付加されているか否かを調べる（ステップ２０６）。
【０１４８】
上記移動体通信機器５０側のステップ１０４の処理で、転送先データが付加されていないときは、プリンタ３０側の上記ステップＳ２０６の判別でＹｅｓとなるので、受信した印刷データ情報に合致する印刷データを記憶装置部３９から読み出して印刷機構部４７により印刷出力する（ステップ２０８）。
【０１４９】
他方、移動体通信機器５０側のステップ１０４の処理で、転送先データが付加されているときは、プリンタ３０側の上記ステップＳ２０６の判別でＮｏとなるので、受信した印刷データ情報に合致する印刷データを記憶装置部３９から読み出して、指定されている転送先に転送してから（ステップＳ２０７）、ステップ２０８の印刷出力の処理に進む。
【０１５０】
図１１は上記ステップＳ２０７の処理の詳細を説明するフローチャートである。図１１に示すように、この処理では、プリンタ路３０のＭＦＰメイン制御部３４は、先ずデータ転送先情報はＰＣ、ＩＰ、又はメインフレームのフォルダ等であるか否かを判断する(ステップＳ３０１）。
【０１５１】
そしてＰＣ、ＩＰ、又はメインフレームのフォルダ等であれば（Ｓ３０１がＹｅｓ）、その場合は、ＭＦＰメイン制御部３４は、その指定転送先へ印刷データ及び印刷データ情報等を転送する（ステップＳ３０２）。
【０１５２】
一方、上記ステップＳ３０１の判別で、データ転送先情報がＰＣ、ＩＰ、又はメインフレームのフォルダ等でないときは（Ｓ３０１がＮｏ）、ＭＦＰメイン制御部３４は、次にデータ転送先情報がアップロード先であるか否かを判別する（ステップ３０３）。
【０１５３】
そしてアップロード先であれば（Ｓ３０３がＹｅｓ）、その場合は、ＭＦＰメイン制御部３４は、そのアップロード先へ印刷データ及び印刷データ情報等を転送する（ステップＳ３０４）。
【０１５４】
他方、上記ステップＳ３０３の判別で、データ転送先情報がアップロード先でないときは（Ｓ３０３がＮｏ）、ＭＦＰメイン制御部３４は、次にデータ転送先情報がプリンタであるか否かを判別する（ステップ３０５）。
【０１５５】
そしてプリンタであれば（Ｓ３０５がＹｅｓ）、その場合は、ＭＦＰメイン制御部３４は、その指定転送先のプリンタへ印刷データ及び印刷データ情報等を転送する（ステップＳ３０６）。
【０１５６】
また、上記ステップＳ３０５の判別で、データ転送先情報がプリンタでないときは（Ｓ３０５がＮｏ）、ＭＦＰメイン制御部３４は、次にデータ転送先情報がＦＡＸ送信先であるか否かを判別する（ステップ３０７）。
【０１５７】
そしてＦＡＸ送信先であれば（Ｓ３０７がＹｅｓ）、その場合は、ＭＦＰメイン制御部３４は、その指定されたＦＡＸ送信先へ印刷データ及び印刷データ情報等を転送する（ステップＳ３０８）。
【０１５８】
また、上記ステップＳ３０７の判別で、データ転送先情報がＦＡＸ送信先でないときは（Ｓ３０７がＮｏ）、ＭＦＰメイン制御部３４は、次にデータ転送先情報が別属性加工用の再保存先であるか否かを判別する（ステップ３０９）。
【０１５９】
そして別属性加工用の再保存先であれば（Ｓ３０９がＹｅｓ）、その場合は、ＭＦＰメイン制御部３４は、その指定された再保存先に印刷データ及び印刷データ情報等を転送する（ステップＳ３１０）。
【０１６０】
また、上記ステップＳ３０９の判別で、データ転送先情報が再保存先でないときは（Ｓ３０９がＮｏ）、その場合は、ＭＦＰメイン制御部３４は、所定のエラー処理を行う（ステップＳ３１１）。
【０１６１】
尚、上述した移動体通信機器５０によるデータ転送先情報の取得と送信の処理、及びプリンタ３０による指定転送先へのデータ転送処理は、実施形態１の変形例として考えられるものであり、これは、実施形態２、実施形態３、及び実施形態４にも適用できる。
【０１６２】
すなわち、実施形態２では、図７(b) のステップＳ５２の処理で転送先データも入力するようにし、図７(a) ではステップＳ４５の直前に図１０(c) のステップＳ２０６及びＳ２０７の処理を挿入するとよい。
【０１６３】
また、実施形態３では、図８(b) のステップＳ７２の処理で転送先データも入力するようにし、図８(a) ではステップＳ６７の直前に図１０(c) のステップＳ２０６及びＳ２０７の処理を挿入するとよい。
【０１６４】
また、実施形態４では、図９(b) のステップＳ９２の処理で転送先データも入力するようにし、図９(a) ではステップＳ８７の直前に図１０(c) のステップＳ２０６及びＳ２０７の処理を挿入するとよい。
【０１６５】
また、上述した実施形態では、いずれも予めコンピュータから送信された印刷データを印刷装置側の記憶装置に記憶しておき、移動体通信機器から印刷指示された印刷データを記憶装置から読み出して印刷するようにしている。
【０１６６】
しかし、他の実施形態としては、特には図示しないが、例えば、実施形態４のように移動体通信機器の記憶装置に格納されている印刷データを、移動体通信機器から非接触通信で印刷装置に直接送信して印刷を指示し、これに応じて、印刷装置が、その移動体通信機器から直接送信された印刷データを印刷するようにすることもできる。
【０１６７】
また、更なる他の実施形態としては、これも特には図示しないが、例えば、印刷装置が移動体通信機器から非接触にて読み出した認証コードが自機又は他機の記憶装置に記憶されている認証コード付き印刷データの認証コードと一致したとき、その認証コード付き印刷データの識別データを自機の操作パネルの表示操作装置に表示する。
【０１６８】
そして、その移動体通信機器の所有者が上記の表示操作装置の表示を見て操作パネルから識別データを選択して印刷を指示する操作を行う。これに応じて、印刷装置が、その指示された印刷データを印刷するようにすることもできる。
【図面の簡単な説明】
【０１６９】
【図１】本発明の実施形態における非接触認証による印刷データ処理方法を実現するための全体システムの構成図である。
【図２】全体システム構成図におけるコンピュータ、ラップトップＰＣ又はワークステーションの内部主要部の構成を代表的にパーソナルコンピュータを例にとって説明する図である。
【図３】全体システム構成図における複数のプリンタの内部主要部の構成を代表的にＭＦＰ（multi function printer）を例にとって説明する図である。
【図４】全体システム構成図において図示を省略した移動体通信機器の内部主要部の構成を説明する図である。
【図５】(a) は各実施形態に共通のＰＣ（パーソナルコンピュータ）の印刷データ送信の処理動作を説明するフローチャート、(b) はプリンタ側で受信した印刷データの保存処理を説明するフローチャートである。
【図６】(a) は実施形態１としての移動体通信機器による印刷データ情報入力処理を説明するフローチャート、(b) はプリンタによる印刷制御の処理を説明するフローチャートである。
【図７】(a) は実施形態２としてのプリンタによる印刷データ情報の提供処理を説明するフローチャート、(b) は移動体通信機器による印刷データの選択処理のフローチャートである。
【図８】(a) は実施形態３としてのプリンタによる印刷データ情報の提供処理と印刷制御の処理を説明するフローチャート、(b) は移動体通信機器による印刷データの選択処理のフローチャートである。
【図９】(a) は実施形態４としてのプリンタによる印刷データ情報の提供処理と印刷制御の処理を説明するフローチャート、(b) は移動体通信機器による印刷データの選択処理と記憶処理のフローチャートである。
【図１０】(a),(b) は実施形態５しての移動体通信機器による印刷データ情報入力処理と送信処理を説明するフローチャート、(c) はプリンタによる制御の処理を説明するフローチャートである。
【図１１】実施形態５のステップＳ２０７の処理の詳細を説明するフローチャートである。
【符号の説明】
【０１７０】
１      メインフレーム
２、５  ＬＡＮ（local area network）
３      コンピュータ
４、７  プリンタ
６      ラップトップＰＣ（パーソナルコンピュータ）
８      ワークステーション
９      記憶装置
１０    パーソナルコンピュータ
１１    ＣＰＵ(central processing unit）
１２    バス
１３    ＲＯＭ(read only memory)
１４    ＲＡＭ(Random Access Memory)
１５    ＨＤ(hard disk）
１６    表示制御部
１７    入力制御部
１８    ＵＳＢ(universal serial bus)通信制御部
１９    ＬＡＮ通信制御部
２１    印刷装置ドライバ
２２    アプリケーション
２３    非接触認証コード管理ツール
２４    ディスプレイ
２５    キーボード
２６    非接触型認証装置
２７    非接触型認証制御部
２８    非接触認証デバイス
３０    ＭＦＰ（multi function printer）、プリンタ
３１    ＭＦＰ制御部
３２    スキャナ部
３３    プリンタ部
３４    ＭＦＰメイン制御部
３５    非接触通信制御部
３６    非接触通信デバイス
３７    ＬＡＮ通信制御部
３８    記憶装置制御部
３９    記憶装置部
４１    読取機構制御部
４２    読取機構部
４５    ＦＡＸ(facsimile）通信制御部
４６    プリンタ制御部
４７    印刷機構部
４８    印刷結果
５０    移動体通信機器
５１    ＣＰＵ
３２    バス
５３    ＲＯＭ
５４    ＲＡＭ
５５    不揮発メモリ又はＨＤ
５６    表示制御部
５７    入力制御部
５８    非接触型認証装置
５９    無線通信制御部
６１    アプリケーション
６２    非接触認証コード
６３    ディスプレイ
６４    キーボード
６５    非接触型認証制御部
６６    非接触認証デバイス
【図２】
2008287420.tif 000003
【図３】
2008287420.tif 000004
【図４】
2008287420.tif 000005
【図５】
2008287420.tif 000006
【図６】
2008287420.tif 000007
【図７】
2008287420.tif 000008
【図８】
2008287420.tif 000009
【図９】
2008287420.tif 000010
【図１０】
2008287420.tif 000011
【図１１】
2008287420.tif 000012
【図１】
2008287420.tif 000013